(57)【要約】 【課題】  フード部の強度を維持することのできるコネクタを提供することを目的とする。【解決手段】  雄ハウジング３の端子収容部３１には、雄端子２が圧入されて保持されている。端子収容部３１の両側からは、雄端子２の両端部を取り囲むようにフード部３２が形成されている。一対のフード部３２の先端部には、その上面に雌コネクタ５のロック片７４と係合するロック孔３２ｂが、それぞれフード部３２を内外に貫通するように形成されている。それぞれのロック孔３２ｂとフード部３２の端縁部３２ｄとの間には、フード部３２の強度を増大させるための補強用リブ３２ｃが形成されている。【選択図】  図４
2005317363.tif 000002
【特許請求の範囲】
【請求項１】
端子を保持する端子収容部と、
その前方に延びて前記端子を取り囲むフード部を有するハウジングを備えたコネクタにおいて、
前記フード部には、相手側コネクタのロック片と係合するロック孔が貫通し、このロック孔と前記フード部の前縁部との間には、補強用のリブが形成されたことを特徴とするコネクタ。
【請求項２】
前記リブは前記ハウジングの幅方向において、前記ロック孔より長いことを特徴とする請求項１記載のコネクタ。
【請求項３】
その両側に端子の両端部が突出するような状態に前記端子を保持する端子収容部と、
前記端子収容部の両側に延びて前記端子を取り囲む一対のフード部を有するハウジングを備えたコネクタにおいて、
前記各々のフード部には、相手側コネクタのロック片と係合するロック孔が貫通し、このロック孔と前記フード部の端縁部との間には、補強用のリブが形成されたことを特徴とするコネクタ。
【発明の詳細な説明】
【技術分野】
【０００１】
本発明は、フード部に相手側コネクタのロック片と係合するロック孔を有するコネクタに関する。
【背景技術】
【０００２】
端子を取り囲むフード部の内側先端部に、相手側コネクタのロック片と係合するロック用突部を備えたコネクタに関する従来技術があった（例えば、特許文献１参照。）。このコネクタについては、フード部に設けられた突部を形成するために、フード部の後面に型抜き用の孔を設ける必要があるが、ハウジングの形状によっては型抜き孔の形成が困難な場合があった。特に、端子収容部の前後方向にフード部が設けられたようなコネクタの場合（例えば、特許文献２参照。）、端子収容部に型抜き孔を形成することができず、フード部に相手側コネクタのロック片と係合する貫通孔を形成しなければならず、これがフード部の強度低下を招くこともあった。これを避けるために、成形型にスライドコアを用いてフード部にロック用突部を形成することもできるが、製造のコスト高を招くことになる。
【特許文献１】特開平８−３１５１３号公報（第３図）
【特許文献２】特開２０００−７７１５９公報（第４図）
【発明の開示】
【発明が解決しようとする課題】
【０００３】
本発明は上記のような事情に基づいて完成されたものであって、フード部の強度を維持することのできるコネクタを提供することを目的とする。
【課題を解決するための手段】
【０００４】
上記の目的を達成するための手段として、請求項１の発明は、端子を保持する端子収容部と、その前方に延びて前記端子を取り囲むフード部を有するハウジングを備えたコネクタにおいて、前記フード部には、相手側コネクタのロック片と係合するロック孔が貫通し、このロック孔と前記フード部の前縁部との間には、補強用のリブが形成されたことを特徴とするコネクタとした。
【０００５】
請求項２の発明は、前記リブは前記ハウジングの幅方向において、前記ロック孔より長いことを特徴とする請求項１記載のコネクタとした。
【０００６】
請求項３の発明は、その両側に端子の両端部が突出するような状態に前記端子を保持する端子収容部と、前記端子収容部の両側に延びて前記端子を取り囲む一対のフード部を有するハウジングを備えたコネクタにおいて、前記各々のフード部には、相手側コネクタのロック片と係合するロック孔が貫通し、このロック孔と前記フード部の端縁部との間には、補強用のリブが形成されたことを特徴とするコネクタとした。
【発明の効果】
【０００７】
＜請求項１の発明＞
フード部には、相手側コネクタのロック片と係合するロック孔が貫通し、このロック孔とフード部の前縁部との間には補強用のリブが形成された構成としたことにより、フード部にロック孔が形成されたことにもかかわらず、その強度の低下を防ぐことができる。
【０００８】
＜請求項２の発明＞
リブはハウジングの幅方向において、ロック孔より長く形成された構成としたことにより、ロック孔の形成によるフード部の強度低下をいっそう防ぐことができる。
【０００９】
＜請求項３の発明＞
その両側に端子の両端部が突出するような状態に端子を保持する端子収容部と、端子収容部の両側に延びて端子を取り囲む一対のフード部を有するハウジングを備えたコネクタにおいて、各々のフード部には、相手側コネクタのロック片と係合するロック孔が貫通し、このロック孔とフード部の端縁部との間には、補強用のリブが形成された構成としたことにより、その両側に相手側コネクタが嵌合するような、いわゆる中継コネクタにおいてもそのフード部の強度の低下を防ぐことができる。
【発明を実施するための最良の形態】
【００１０】
本発明の実施形態を、図１乃至図７によって説明する。説明中において、図１の右方を雄コネクタ１の前方とし、図２の左右方向をその幅方向とする。本実施形態による雄コネクタ１（本発明のコネクタに該当する）は一般的に中継コネクタと呼ばれるもので、その前後方向から後述する相手側コネクタである雌コネクタ５が嵌合し、それらに収容されている雌端子６を互いに導通させるものである。コネクタ１の雄ハウジング３は合成樹脂材料にて一体に形成されている。雄ハウジング３には、その前後方向のほぼ中央部に端子収容部３１が形成され、これに複数の雄端子２が２段に並べられて保持されている。
【００１１】
端子収容部３１は断面が矩形状をしており、これに各々の雄端子２が圧入されることにより、それぞれの両端部が端子収容部３１の両面から突出するように保持されている。雄端子２はそれぞれ導電性を有した金属材料にて形成され、それらの両端部には雌コネクタ５の雌端子６と嵌合する端子嵌合部２ａを有している。図２に示すように、端子収容部３１の前後面には、雄ハウジング３の軽量化のための、大小複数の肉盗み部（空孔）３１ａが形成されている。
【００１２】
端子収容部３１の前後方向両側には、雄端子２を取り囲むように延びた一対のフード部３２が形成されている。図２に示すように、フード部３２は矩形状に形成され、その端面に開口するように一対の肉盗み部３２ａを有している。それぞれのフード部３２の先端部には、その上面に雌コネクタ５のロック片７４と係合する矩形状のロック孔３２ｂが、それぞれフード部３２を内外に貫通するように形成されている。
【００１３】
また、各々のロック孔３２ｂとフード部３２の端縁部３２ｄとの間には、フード部３２の強度を増大させるために所定の高さを有する補強用リブ３２ｃが、雄ハウジング３の幅方向に延びるように設けられている。図２に示したように、リブ３２ｃはそれぞれ前後方向から見ると台形状に形成されており、これにより、その上端部はフード部３２の上面に対して突出している。また、リブ３２ｃは雄ハウジング３の幅方向においてロック孔３２ｂよりも長く形成されている（図３示）。雄ハウジング３の下面には、進入孔３３が雄ハウジング３の前後方向に貫通しており、進入孔３３内には上下方向に撓み可能な保持片３４が形成されている。保持片３４の上端部には係合突部３４ａが形成されており、例えば車輌に固定された図示しないブラケットに撓みながら係合することにより、雄コネクタ１を車輌に取り付けることができる。
【００１４】
図４および図５に示すように、雄コネクタ１の前後部に嵌合する一対の雌コネクタ５は、互いに同一のもので、それぞれ雌ハウジング７の複数のキャビティ７１内に、導電性を有した金属材料にて形成され、電線Ｗにかしめられた雌端子６が収容されたものである。雌ハウジング７は合成樹脂材料にて一体に形成され、キャビティ７１内に形成されたランス７２を撓ませながら雌端子６をキャビティ７１内に収容してランス７２と係合させた後、やはり合成樹脂材料にて一体に形成されたリテーナ８が装着されることにより、雌端子６の抜け止めを行っている。尚、それぞれのキャビティ７１の前壁には、雄端子２が進入する端子孔７３が設けられている。
【００１５】
雌ハウジング７の上面にはロック片７４が上下方向に撓み可能に形成されている。ロック片７４の上方部には、雌コネクタ５が雄コネクタ１と嵌合する時にロック孔３２ｂと係合するロック突部７４ａが突出している。また、ロック片７４の後端部には、雌雄のコネクタ１、５の嵌合を解除する場合に、押圧することによりロック片７４を下方に撓ませる解除部７４ｂが形成されている。尚、解除部７４ｂの更に上方には、誤って解除部７４ｂに作業者の手等が触れないようにガード部７５が設けられている。
【００１６】
図４に示したように、一対の雌コネクタ５を雄コネクタ１の前後から嵌合させると、図５に示すように、各々の雄端子２の両端部に形成された端子嵌合部２ａが、雌コネクタ５の端子孔７３から進入してそれぞれ雌端子６と係合し、雄端子２を介して雌端子６が互いに電気的に接続される。それとともに、雌ハウジング７のロック片７４が、雄ハウジング３と係合して撓みながらフード部３２内に進入し、雌雄のコネクタ１、５の嵌合が進行すると形状復帰して、ロック突部７４ａが雄ハウジング３のロック孔３２ｂに係合する（図５および図６示）。これにより、雄コネクタ１からの雌コネクタ５の抜け止めが行われる。
【００１７】
本実施形態によれば、フード部３２には、雌コネクタ５のロック片７４と係合するロック孔３２ｂが貫通し、このロック孔３２ｂとフード部３２の端縁部３２ｄとの間には補強用のリブ３２ｃが形成された構成としたことにより、フード部３２にロック孔３２ｂが形成されたことにもかかわらず、その強度の低下を防ぐことができる。従って、図７に示したように、雌雄のコネクタ１、５を互いに嵌合させる場合に、雌ハウジング７がこじられて雄ハウジング３のロック孔３２ｂ付近に当接したとしても、補強用リブ３２ｃの働きにより、フード部３２が変形、破損等することなく、その嵌合作業に支障をきたすことはない。ここで、リブ３２ｃは、フード部３２に部分的に形成されるのみであるため、フード部３２の全体を厚肉にする等して補強する場合に比べ、他部材と干渉することもなく、その重量も軽減でき、材料の節約も可能である。また、フード部３２の強度が向上するためその変形も少なく、ロック孔３２ｂとロック突部７４ａとの係合力が増大する。更に、リブ３２ｃは雄ハウジング３の幅方向において、ロック孔３２ｂより長く形成したことにより、ロック孔３２ｂの形成によるフード部３２の強度低下をいっそう防ぐことができる。
【００１８】
また、本実施形態においては、その両側に両端部が突出するような状態に雄端子２を保持する端子収容部３１と、端子収容部３１の両側に延びて雄端子２を取り囲む一対のフード部３２を有するハウジング３を備えた雄コネクタ１において、各々のフード部３２に、雌コネクタ５のロック片７４と係合するロック孔３２ｂが貫通し、このロック孔３２ｂとフード部３２の端縁部３２ｄとの間には、補強用のリブ３２ｃが形成された構成としたことにより、その両側に雌コネクタ５が嵌合するような、いわゆる中継コネクタにおいてもそのフード部３２の強度の低下を防ぐことができる。
【００１９】
＜他の実施形態＞
本発明は上述の記載および図面によって説明した実施形態に限定されるものではなく、例えば次のような実施形態も本発明の技術的範囲に含まれ、さらに、以下の記載のもの以外にも要旨を逸脱しない範囲内で種々変更して実施することができる。
（１）本発明は上述した中継コネクタのみでなく、端子収容部の一側のみにフード部を有するコネクタにも使用できるとともに、その他のあらゆる種類のコネクタに適用可能である。
（２）補強用リブは、ロック孔が形成されたフード部の強度を向上させるものであれば、あらゆる大きさ、形状のものにすることができる。
（３）補強用リブは、ロック孔に対して必ずしも１つ形成しなければならないわけではなく、ハウジングの大きさ、形状に合わせて、複数個設けてもよい。
【図面の簡単な説明】
【００２０】
【図１】本実施形態による雄コネクタの断面図である。
【図２】図１に示した雄コネクタの左側面図である。
【図３】図１に示した雄コネクタの上面図である。
【図４】雌雄のコネクタの嵌合前の断面図である。
【図５】雌雄のコネクタの嵌合時の断面図である。
【図６】図５の斜視図である。
【図７】雌雄のコネクタの嵌合時に、雌コネクタがこじられて雄ハウジングのフード部に当接したところを示す斜視図である。
【符号の説明】
【００２１】
１…雄コネクタ
２…雄端子
３…雄ハウジング
５…雌コネクタ
３１…端子収容部
３２…フード部
３２ｂ…ロック孔
３２ｃ…補強用リブ
３２ｄ…フード部の端縁部
７４…ロック片
７４ａ…ロック突部
【図１】
2005317363.tif 000003
【図２】
2005317363.tif 000004
【図３】
2005317363.tif 000005
【図４】
2005317363.tif 000006
【図５】
2005317363.tif 000007
【図６】
2005317363.tif 000008
【図７】
2005317363.tif 000009